(57)【要約】【課題】位置決め用として特別な形状を設けることなく、金型構造、並びに部品構造を簡略化すると共に、確実に位置決めする。【解決手段】駆動ユニットベース４２に必然的に形成される円孔４８Ｂ（動作ユニットベース４２の背面側の円孔４８Ａを形成することで，成形上他端面に貫通して形成される円孔４８Ｂ）を動作ユニットベース３６との位置決め基準孔として利用することで、駆動ユニットベース４２には別途位置決めのための形状を設ける必要がなくなり、駆動ユニットベース４２を必要最小限の大きさとすることができる。また、専用の位置決めのための形状が不要であるため、金型の構造も簡素化することができる。【選択図】　　　　図３
2004065350.tif 000002
【特許請求の範囲】
【請求項１】
遊技球が移動することで遊技が進行する遊技盤面上の適宜位置に組み付けられ、予め一対の部材が組み付けられることで構成された遊技機装飾用アッセンブリであって、
少なくとも何れか一方の部材に形成された必然的な形状を利用して、双方の部材を位置決めして組み付けたことを特徴とする遊技機装飾用アッセンブリ。
【請求項２】
遊技盤面上に配設され、遊技の進行に応じて一部が可動して遊技盤面上の遊技状態を変更するための遊技機用可動部材であって、
前記遊技盤表面側に設けられ、前記可動する一部の部品を備えた動作ユニットと、
前記遊技盤裏面側に配設され、前記動作ユニットの可動する部品を動作させるための駆動源が取り付けられた駆動ユニットと、を有し、
前記動作ユニット又は駆動ユニットの少なくとも何れか一方に形成される必然的な形状を利用して、前記動作ユニットと駆動ユニットとを位置決めする位置きめ手段と、
を有する遊技機用可動部材。
【請求項３】
前記必然的な形状が、少なくとも２位置に所定ピッチで形成されていることを特徴とする請求項２記載の遊技機用可動部材。
【請求項４】
前記駆動ユニットには、駆動源を取り付けるための一対の円筒状取付ベースが所定ピッチで一体成形されており、前記円筒状取付ベースの前記駆動源を取り付ける一端面とは反対側の面に、成形上必然的に形成される所定ピッチの一対の円孔を、前記位置決め手段の位置決め基準孔として利用することを特徴とする請求項２又は請求項３記載の遊技機用可動部材。
【発明の詳細な説明】
【０００１】
【発明の属する技術分野】
本発明は、遊技球が移動することで遊技が進行する遊技盤面上の適宜位置に組み付けられ、予め一対の部材が組み付けられることで構成された遊技機装飾用アッセンブリ及び遊技機用可動部材に関するものである。
【０００２】
【従来の技術】
遊技機、特にパチンコ機の遊技盤上には、可動部材が備わっている。この可動部材の駆動源としては、ソレノイドが多用される。例えば、特別図柄始動入賞口には、電動チューリップが設けられており、普通図柄の抽選結果によって開閉する。このような電動チューリップでは、ソレノイドのプランジャの往復移動を回転移動に変換し、当該回転によってスイングするアームを介してチューリップを開閉する構造となっている。
【０００３】
なお、パチンコ機においては、１種のアタッカ（大入賞口）や、２種の羽根部材等も、駆動源としてソレノイドが適用された同様の構造となっている。
【０００４】
上記電動チューリップに代表される可動部材は、遊技盤面上で動作部材が組みつけられた動作ユニットと、この動作ユニットの動作部材を動作させるための駆動源（ソレノイド等）が組み付けられた駆動ユニットとが予め組み立てられた状態（アッセンブリ）で、遊技盤に取付けられるようになっている。
【０００５】
この動作ユニットと駆動ユニットとは、駆動ユニット側の駆動源の駆動力を動作ユニット側の動作部材に伝達するために、精度よく位置決めする必要がある。
【０００６】
このため、従来では、一方に孔、他方にこの孔に挿嵌させるためのボス（突起部）を位置決め専用として形成し、互いに突き合わせて嵌め込むようにしている（一例として、特開平５−４２２４６号参照（以下、先行技術１という））。
【０００７】
ところが、上記先行技術１では、製品（アッセンブリ）に位置決め専用の孔とボスとを形成するため、多数の専用穴及び専用ボスが必要となり、これらを形成するためのスペースを確保しなければならなず、構造自体が大型となる。また、金型構造、製品構造が複雑となるという欠点がある。
【０００８】
このため、位置決め用のボスを、双方の部材をビス止め等によって固定するための固定用ボスとして併用する構造が提案されている（一例として、特開２００１−３０００５９号公報参照（以下、先行技術２という））。
【０００９】
この先行技術２によれば、位置決め用と部品固定用のボスが併用されているため、位置決め専用としてのスペースを省略することができる。
【００１０】
【発明が解決しようとする課題】
しかしながら、上記先行技術２においても、位置決めのための形状をボスに形成しなければならず、そのための金型構造が複雑であり、部品としても複雑な構造をとらざるを得ない。
【００１１】
本発明は上記事実を考慮し、位置決め用として特別な形状を設けることなく、金型構造、並びに部品構造を簡略化すると共に、確実に位置決めすることができる遊技機装飾用アッセンブリ及び遊技機用可動部材を得ることが目的である。
【００１２】
【課題を解決するための手段】
請求項１に記載の発明は、遊技球が移動することで遊技が進行する遊技盤面上の適宜位置に組み付けられ、予め一対の部材が組み付けられることで構成された遊技機装飾用アッセンブリであって、少なくとも何れか一方の部材に形成された必然的な形状を利用して、双方の部材を位置決めして組み付けたことを特徴としている。
【００１３】
請求項１記載の発明によれば、一対の部材を組み付ける場合、互いの位置が所定の位置関係となるように双方のそれぞれにに位置決め用のボス及び孔を設けるが、少なくとも一方の部材に位置決めとは無関係に必然的に形成される形状を利用することで、当該部材には位置決めのための専用の形状（ボスや孔）を設けることがなくなり、位置決めのための形状を設けるための専用の領域が不要となる。また、部材が成形品であれば、金型構造も簡略することができる。
【００１４】
請求項２に記載の発明は、遊技盤面上に配設され、遊技の進行に応じて一部が可動して遊技盤面上の遊技状態を変更するための遊技機用可動部材であって、前記遊技盤表面側に設けられ、前記可動する一部の部品を備えた動作ユニットと、前記遊技盤裏面側に配設され、前記動作ユニットの可動する部品を動作させるための駆動源が取り付けられた駆動ユニットと、を有し、前記動作ユニット又は駆動ユニットの少なくとも何れか一方に形成される必然的な形状を利用して、前記動作ユニットと駆動ユニットとを位置決めする位置きめ手段と、を有している。
【００１５】
請求項２に記載の発明によれば、遊技盤には、可動部材が種々設けられており、これらは、一般的に動作ユニットと駆動ユニットとに分類され、遊技盤に取り付ける前に、位置決め手段によって互いに位置決めがなされた状態で組み付けられる。
【００１６】
ここで、位置決め手段が、動作ユニット又は駆動ユニットの少なくとも何れか一方に形成される必然的な形状を利用して、前記動作ユニットと駆動ユニットとを位置決めするようにしたため、位置決め手段としての専用の形状を設ける必要がなく、動作ユニット及び／又は駆動ユニットの形状が簡略化され外形もコンパクトとすることができる。このため、遊技盤面の遊技領域を拡大することができる。また、動作ユニット及び駆動ユニットのベースとなる部材は、通常成形品であるため、位置決め専用の形状が省略される分、金型構造を簡単とすることができる。
【００１７】
請求項３に記載の発明は、前記請求項２に記載の発明において、前記必然的な形状が、少なくとも２位置に所定ピッチで形成されていることを特徴としている。
【００１８】
請求項３に記載の発明によれば、必要的な形状として、所定のピッチで２位置を選択することで、２次元的な位置決めが容易となる。
【００１９】
請求項４に記載の発明は、前記請求項２又は請求項３に記載の発明において、前記駆動ユニットには、駆動源を取り付けるための一対の円筒状取付ベースが所定ピッチで一体成形されており、前記円筒状取付ベースの前記駆動源を取り付ける一端面とは反対側の面に、成形上必然的に形成される所定ピッチの一対の円孔を、前記位置決め手段の位置決め基準孔として利用することを特徴としている。
【００２０】
請求項４に記載の発明によれば、駆動ユニットには、そのベースに駆動源が取り付けられる。このベースには、一対の円筒状取付ベースが一体成形されており、駆動源はこの円筒状取付ベースの一端面に突き合わされて例えばビス止めされる。
【００２１】
ここで、円筒状取付ベースの一端面から他端面にかけて円孔が形成されており、前記一端面の円孔はビスの案内孔として利用される。
【００２２】
また、他端面の円孔は金型の所謂逃げのため、前記一端面に円孔を形成する場合に必然的に形成される。この他端面の円孔が所定ピッチとなっている（円筒状取付ベースが所定ピッチで配設されている）ため、この円筒状取付ベースの他端面の円孔を位置決め用の基準孔として利用することができる。これにより、少なくとも駆動ベース側には、位置決めのための特別な形状が不要となる。
【００２３】
【発明の実施の形態】
「パチンコ機の概略構成」
図１には、第１の実施の形態に係るパチンコ機１１０が示されている。このパチンコ機１１０は、矩形の枠体１１３でその外形が構成されており、店側のベース面１１５に支持されている。また、枠体１１３には、装飾版１１３Ａ、スピーカ１６２、キーシリンダ１１３Ｂ等が配設されている。
【００２４】
枠体１１３の内側正面には、透明ガラス板１１０Ａがガラス枠１１０Ｂに嵌め込まれた状態で配設されている。この透明ガラス板１１０Ａで仕切られた内側領域には、遊技盤１１１が配設されている。また、この遊技盤１１１における円弧状のレール１１２で囲まれた領域が遊技領域であるゲージ部１１４とされている。
【００２５】
図２に示される如く、ゲージ部１１４には、全面に渡って複数の釘１１６が打ち込まれ、レール１１２を通って打ち出されたパチンコ球がこの釘１１６に当たって跳ねたり、釘１１６によって形成される案内路に案内されながら、落下していくようになっている。また、この釘１１６の他、ゲージ部１１４に向かって左右対称の位置には、４個の風車１１８Ａ乃至Ｄが取り付けられており、パチンコ球を予期しない方向へ方向転換させるようになっている。
【００２６】
さらに、ゲージ部１１４には複数の位置に入賞口１２０が設けられ、この入賞口１２０にパチンコ球が入ることにより、所定数のパチンコ球が遊技者に払い出されるようになっている。
【００２７】
このようなゲージ部１１４は、ほぼ左右対称系とされており、この中央部には電動役物ユニット１２２が配置され、その表示部１２４が露出されている。この表示部１２４の下方には電動役物ユニット１２２を始動するための特別図柄始動入賞口１２６が設けられている。
【００２８】
特別図柄始動入賞口１２６のさらに下方には、大入賞口１２８が配置され、この大入賞口１２８を開閉する開閉部材１２９は、前記電動役物ユニット１２２での所謂当りの表示状態で所定時間の開放が所定回数繰り返され、大量のパチンコ球を入賞させることができる構成となっている。
【００２９】
また、前記電動役物ユニット１２２の上部には、横１列に４個の保留ランプ２００が配列されている。この保留ランプ２００は、特別図柄始動入賞口１２６に入賞したパチンコ球が最大４球分保留されていることを点灯状態で報知するものであり、電動役物ユニット１２２による抽選結果の案内が終了した時点で、保留された分が消化されて消灯するようになっている。
【００３０】
また、ゲージ部１１４には、普通図柄始動入賞口１３０が設けられており、普通図柄始動入賞口１３０にパチンコ球が入賞すると、普通図柄表示部１３２（図２参照）の表示が変動し、所定当り数字になると、前記特別図柄始動入賞口１２６に設けられた可動部としての電動チューリップ１３４が所定時間開放するようになっている。この電動チューリップ１３４の開放により、特別図柄始動入賞口１２６への入賞の確率が物理的に高まることになる。なお、普通図柄表示部１３２は、表示部１２４の一部（例えば、四隅の１つ等）に普通図柄表示専用の領域を設けるようにしてもよい。
【００３１】
図１に示される如く、上記ゲージ部１１４の下部、すなわち、透明ガラス板１１０Ａの下部は、パネル部１４０とされ、その上部パネル１４０Ａには上皿１４１が設けられ、下部パネル１４０Ｂには、発射装置の操作部としてのハンドル１３６と、上皿１４１から落下するパチンコ球を受ける下皿１３８とが設けられている。なお、下部パネル１４０Ｂには、灰皿１４３も設けられている。
【００３２】
ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記回転角度に基づいて発射強度が設定されるようになっている。なお、この回転には、復帰付勢力が付与されており、遊技者が手を離すと自動的に元の回転位置に戻る構造となっている。
【００３３】
「電動チューリップの駆動機構」
前記遊技盤１１１上の特別図柄始動入賞口１２６に設けられた電動チューリップ１３４の構造について説明する。
【００３４】
図３乃至図７に示される如く、電動チューリップ１３４は、大きく分けて動作ユニット３０と駆動ユニット３２とに分類することができる。
【００３５】
動作ユニット３０は、遊技盤１１１面上で開閉する一対の花びら形状のフラップ１２を備え、一方駆動ユニット３２は、当該フラップ１２を開閉するための駆動源としてソレノイド２４を備えている。
【００３６】
（ソレノイドの構造）
図１０には、前記ソレノイド２４に取り付けられたカバー６０の詳細構造が示されている。
【００３７】
ソレノイド２４は、直方体形状であり、その一面からプランジャ２６が突出し、このプランジャ２６がソレノイド２４内のコイル（図示省略）への通電・非通電によって伸び出し・引き込みがなされるようになっている。
【００３８】
このソレノイド２４は、前記プランジャ２６が突出された面と反対側の面を基部として、互いに平行な一対の脚板６２Ａ、６２Ｂが形成された略コ字型のフレーム６２によって３方面が囲まれている。このフレーム６２と前記フランジ２４Ａとでカバー６０を構成している。
【００３９】
一対の脚板６２Ａ、６２Ｂのそれぞれの先端面には、かしめ代６４が突出されている。かしめ代６４は、脚板６２Ａ、６２Ｂの幅寸法よりも短く形成されている。
【００４０】
また、前記ソレノイド２４におけるプランジャ２６の突出面には、フランジ２４Ａが密着されている。フランジ２４Ａには、互いに対向する一対の辺に、前記かしめ代６３が嵌合可能な一対の切欠部６６が形成されており、フランジ２４Ａはこの切欠部６６が前記かしめ代６４に嵌合することで、フレーム６２に固定されている。
【００４１】
前記フランジ２４Ａにおける切欠部６６が形成された一対の辺とは直角の位置となるもう一方の一対の辺は、それぞれソレノイド２４の外郭から延設されている。この延設された部分には、このソレノイド２４を取付けるための、後述する駆動ユニットベース４２（図３参照）に形成された円筒部４８及び軸部５０に対応する円孔２４Ｂ、２４Ｃが形成されている。
【００４２】
すなわち、フランジ２４Ａにおける切欠部６６が形成される辺と、円孔２４Ｂ、２４Ｃが形成される辺とは互いに直角の関係となっているため、切欠部６６と円孔２４Ｂ、２４Ｃとが干渉することがなく、互いに必要以上に離す必要がない。このため、切欠部６６、円孔２４Ｂ、２４Ｃ共にソレノイド２４自体に近づけて形成することが可能となる。
【００４３】
（動作ユニット及び駆動ユニットの組付構造）
図３に示される如く、フラップ１２は、動作ユニットベース３６と装飾部材３８との間に、左右に対向するように配置されており、それぞれのフラップ１２は、独立した駆動伝達機構によって所定角度の範囲で回転するようになっている。このため、ここでは、基本的には一方のフラップ１２の駆動伝達機構について説明する。
【００４４】
フラップ１２は、拡幅された下部には円孔１２Ａが形成され、回転軸１４が挿入されている。回転軸１４は前記動作ユニットベース３６と装飾部材３８との間に掛け渡されて固定されている。これにより、フラップ１２はこの回転軸１４を中心に回転するようになっている。
【００４５】
フラップ１２の裏面側における回転軸１４の近傍には、連結軸１７の一端が挿嵌されている。この連結軸１７の他端部は、動作ユニットベース３６に設けられた矩形孔４０（図３参照）を貫通して、アーム１８に形成された略コ字型の切欠部２０に挿通されている。
【００４６】
アーム１８は、前記フラップ１２の回転中心となる回転軸１４の軸線方向における遊技盤１１１の裏面側へ延長されている。このアーム１８の延長方向、すなわち遊技盤１１１の裏面側では、略Ｌ字形に屈曲され、屈曲部１８Ａが形成されている。この屈曲部１８Ａが形成された角部には、駆動ユニット３２の駆動ユニットベース４２に形成された円孔４２Ａに軸支され、一対のアーム１８は回転軸２２によって連結されている。これにより、アーム１８は回転軸２２を中心に回転可能となる。
【００４７】
また、屈曲部１８Ａの内側には連結軸１８Ｂが突出形成されている。この連結軸１８Ｂには、アーム１８を前記回転軸２２を中心に回転させる駆動源であるソレノイド２４のプランジャ２６の形成された矩形のロッド４４に遊嵌されている。
【００４８】
ソレノイド２４は通電によってプランジャ２６を引き込み、非通電状態でばね３４付勢力で伸び出すようになっている。プランジャ２６の伸び出し状態では、アーム１８を図６の時計方向へ回転させ、この結果、連結軸１７を上方へ移動させるため、フラップ１２を閉じる方向に回転させている。この状態が電動チューリップ１３４の閉止状態である。
【００４９】
ここで、ソレノイド２４を通電すると、プランジャ２６が引き込み、アーム１８を図７の反時計方向へ回転させる。この結果、連結軸１７が下方へ移動し、フラップ１２を開く方向に回転させることができる。この状態が電動チューリップ１３４の開放状態である。
【００５０】
一対のフラップ１２の下部には、球通過センサ４６の球挿入口４６Ａが配設されている。このため、一対のフラップ１２間に入賞したパチンコ球は、この球通過センサ４６によって入賞を検出することができる。
【００５１】
動作ユニットベース３６には、図３に示すように表面側に一対のフラップ１２及び装飾部材３８、並びに球通過センサ４６が取り付けられ、駆動ユニットベース４２には、ソレノイド２４が取り付けられた状態で、当該動作ユニットベース３６と駆動ユニットベース４２を突き合せて組み付けるようになっている。
【００５２】
駆動ユニットベース４２には、所定ピッチで形成された円筒部４８及びこの円筒部４８にそれぞれ隣接して軸部５０が一体成形されている。
【００５３】
円筒部４８と軸部５０とは隣接しているため、これらの軸直角断面は所謂ひょうたん形状となっている。
【００５４】
円筒部４８の一端面（突出先端面）には、円孔４８Ａが形成されており、この円孔４８Ａは、金型構成上他端面まで貫通している。このため、駆動ユニットベース４２の表面側（図３では、裏側になる）には、前記円筒部４８と等ピッチの円孔４８Ｂが形成されることになる。
【００５５】
前記軸部５０の突出先端面には、位置決め突起５０Ａが形成されている。
【００５６】
この一対の位置きめ突起５０Ａが前記ソレノイド２４に形成されるフランジ２４Ａに形成された所定ピッチの円孔２４Ｂに嵌合することで、ソレノイド２４は、駆動ユニットベース４２に対して位置決めされる。また、このとき、前記円筒部４８の突出先端面の円孔４８Ａは、フランジ２４Ａに設けられた円孔２４Ｃと同軸となり、ビス止めすることで、ソレノイド２４は駆動ユニットベース４２に固定される。
【００５７】
一方、動作ユニットベース３６には、前記円筒部４８の他端面が形成される所定ピッチの円孔４８Ｂと等ピッチの位置決め用ボス３６Ａが形成されている。
【００５８】
すなわち、前記円筒部４８の他端面の円孔４８Ｂは、位置決め用として形成されたものではなく、必然的に駆動ユニットベース４２に設けられたものであるが、本実施の形態では、この円孔４８Ｂを位置決めの基準孔として利用するようにしている（図８参照）。
【００５９】
これにより、位置決め専用の形状は、動作ユニットベース３６の位置決め用ボス３６Ａのみでよくなり、駆動ユニットベース４２には、何ら位置決めのための形状を設定する必要がない。
【００６０】
動作ユニットベース３６には、一対の爪部材５２、５４が駆動ユニットベース４２方向に突出している。
【００６１】
図９に示される如く、この爪部材５２、５４は、その突出先端に爪５２Ａ、５４Ｂが形成されているが、その爪５２Ａ、５４Ａの肉厚形状が互いに異なっている。
【００６２】
すなわち、図９（Ｂ）に示される如く、一方は、側面視で略直角三角形状となっており、引っ掛かりを多い爪形状である（以下、区別する場合に通常爪部材５２という）。これに対して図９（Ａ）に示される如く、他方は、側面視で台形となっており、引っ掛かりの少ない爪形状となっている（以下、区別する場合に特殊爪部材５４という）。
【００６３】
この爪部材５２Ａ、５４Ａは、前記動作ユニットベース３６と駆動ユニットベース４２とが前記位置決め用ボス３６Ａと円筒部４８の円孔４８Ｂとで位置決めされて付き合わされたときに、駆動ユニットベース４２に形成された球通過センサ４６の案内部５６の端面に掛止されるようになっている。
【００６４】
このとき、通常爪部材５２は、案内部５６の肉厚から内側に突出するが、特殊爪部材５４は、案内部５６の肉厚寸法内に収まっている。この状態で、球通過センサ４６を案内部５６の内側に挿入すると、通常爪部材５２のみが弾性変形して、球通過センサ４６を完全に押し込むと、押圧方向後端部に通常爪部材５２が係合され、球通過センサ４６が保持される。
【００６５】
このとき、特殊爪部材５４は球通過センサ４６の着脱には何ら関与しない。
【００６６】
すなわち、一対の爪部材（通常爪部材５２及び特殊爪部材５４）は駆動ユニットベース４２に対してその両方が保持する機能を持つが、球通過センサ４６に対しては通常爪部材５２のみが保持する機能を持つ。
【００６７】
以下に本実施の形態の作用を説明する。
【００６８】
「通常の遊技の流れ」
まず、パチンコ球が発射されると、レール１１２に案内されてゲージ部１１４の釘１１６や風車１１８Ａ乃至Ｄ等に当接しながら、予測し得ない移動をしながら落下していく。ここで、入賞口１２０に入賞すると、予め定められた数のパチンコ球が払い出される（賞球）。また、普通図柄始動入賞口１３０に入賞するとこれを普通図柄入賞センサ１７０で検出する。
【００６９】
この検出により、普通図柄の抽選が開始される。すなわち、乱数カウンタを用いて、所定の確率で０〜９までの数字を抽選する。抽選の結果、外れの場合には、特に遊技状態に変化はない。
【００７０】
一方、抽選の結果、当り（例えば、当り数字の７が抽選される）の場合には、特別図柄始動入賞口１２６に設けられた電動チューリップ１３４を開放状態とするべく、ソレノイド２４へ通電する。これにより、特別図柄始動入賞口にパチンコ球が入り易い、高確率状態とすることができる。
【００７１】
前記特別図柄始動入賞口１２６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、表示部１２４に表示する。この図柄変動パターンにおいては、リーチを経由した当り、外れリーチ、リーチを経由しない外れ等、様々な演出があり、遊技者は期待感をもって抽選結果を待つことができる。
【００７２】
当り時の図柄変動制御が終了すると、予め設定したラウンド数（例えば、１５ラウンド）の大当たり処理が実行される。この大当たり処理中は、大入賞口１２８がほとんど開放状態であるため、遊技者によって有利な状態とすることができる。所定ラウンドの大当たり処理が終了すると、通常の遊技に戻る。
【００７３】
「電動チューリップ１３４の開閉動作」
普通図柄抽選の結果、当たりとなると、ソレノイド２４が通電される。このソレノイド２４への通電により、全伸び出し状態で、フラップ１２を閉止していたプランジャ２６が引き込まれる。このプランジャ２６の引き込みにより、連結軸１７を介してアーム１８を図７の反時計方向回転させる。
【００７４】
アーム１８が図７の反時計方向へ回転すると、アーム１８の切欠部２０に挿入された連結軸１７を下方へ引き下げ、フラップ１２を回転させる。この動作は、単一のソレノイド２４への通電により、一対のフラップ１２が互いに離間する方向へ回動し、所謂チューリップの開放状態となる。
【００７５】
ソレノイド２４への通電を遮断すると、プランジャ２６がばね３４の付勢力で引き込むため、上記と逆の動作によって、フラップ１２が閉止状態となる（図６参照）。
【００７６】
上記電動チューリップ１３４には、球通過センサ４６が取り付けられ、パチンコ球が入賞すると、これを球通過センサ４６によって検出する（特別図柄始動入賞口１２６への入賞）。
【００７７】
「ソレノイド２４の小型化」
ここで、本実施の形態に適用されるソレノイド２４は、ソレノイド２４を取り囲むフレーム６２の脚板６２Ａ、６２Ｂにかしめ代６４を形成し、このかしめ代６４に対応してフランジ２４Ａの互いに対向する一対の辺に切欠部６６を設け、これらを係合することで、フレーム６２とフランジ２４Ａとを一体化している（カバー６０）。
【００７８】
また、フランジ２４Ａは、前記切欠部６６が形成された一対の辺と直角の関係になるもう一方の一対の辺がソレノイド２４の外郭から突出するように延設され、この延設された部分にフランジ２４Ａとしての本来の機能である円孔２４Ｂ、２４Ｃを形成した。
【００７９】
この円孔２４Ｂ、２４Ｃは、駆動ユニットベース４２の円筒部４８及び軸部５０と対向し、一方はビス止め用、他方は位置決め用として機能する（詳細は、「電動チューリップ１３４の組付手順）参照）。
【００８０】
切欠部６６と円孔２４Ｂ、２４Ｃとを、フランジ２４Ａにおける互いに直交する一対の辺に振り分けて形成することで、互いが接近することによる不具合（変形等）を考慮する必要がない。このため、特に円孔２４Ｂ、２４Ｃをソレノイド２４に可能なかぎり近づけて形成することができ、ソレノイド２４自体をコンパクトな形状することができる。
【００８１】
図１１は、本実施の形態に適用されるソレノイド２４と、従来の代表的なソレノイドとの寸法敵な比較が示されている。
【００８２】
図１１（Ａ）及び（Ｂ）では、ソレノイド本体の外形Ｃ×Ｄは、共に同一であるが、図１１（Ａ）に示す本実施の形態のソレノイド２４では、フランジ２４Ａを含む外形横寸法Ａ１が、図１１（Ｂ）に示す従来のソレノイドの外形横寸法Ａ２よりも小さく（Ａ１＜Ａ２）、縦寸法Ｂ１（図１１（Ａ）参照）が横寸法（図１１（Ｂ）参照）よりも大きい（Ｂ１＞Ｂ２）。
【００８３】
すなわち、従来は、図１１（Ｂ）に示すように切欠部Ｅと円孔Ｆとが干渉しないためのスペースが必要であるため、横方向の寸法が大きくなってしまうことがわかる。なお、縦方向の寸法（Ｂ１）は、ベース６２の肉厚の２倍分大きくなるが、縦横の比が小さくなるため、全体としての組付けスペースを小さくすることができる。
【００８４】
このように、本実施の形態では、ソレノイド２４をコンパクトにするべく、フランジ２４Ａに形成する、ベース６２との係合用の切欠部６６と、円筒部４８及び軸部５０と対向させてビス止め及び位置決めするための円孔２４Ｂ、２４Ｃと、を互いに直角の関係となる２対の辺に振り分けて形成するようにしたため、ソレノイド２４の外形の縦横比を小さくすることができ、その結果、ソレノイドが占める領域を小さくすることができる。このソレノイド２４のコンパクト化は、遊技盤１１１を構成するベニヤにあける穴の縮小化にもつながり、電動役物ユニット（センター役物）１２２の大型化による穴の拡大に起因する遊技盤の剛性の低下を緩和することができる。
【００８５】
なお、本実施の形態では、フランジ２４Ａの幅寸法をソレノイド２４の寸法（図１１（Ａ）のＤ寸法の約１／２としたが、図１２に示される如く、ソレノイド２４の寸法と同等のフランジ６８としてもよい。
【００８６】
「電動チューリップ１３４の組付手順」
上記電動チューリップ１３４は、動作ユニット３０と駆動ユニット３２とで構成され、遊技盤１１１に取付ける前にこの動作ユニット３０と駆動ユニット３２とが組付けられる。
【００８７】
また、動作ユニット３０には、フラップ１２、装飾部材３８が予め取付けられ、駆動ユニット３２には、予めソレノイド２４、アーム１８が取付られ、動作ユニット３０を駆動ユニット３２に突き合せた後、駆動ユニット３２の背面側から動作ユニット３０の表面側に向けて球通過センサ４６が挿入される。
【００８８】
ソレノイド２４は、駆動ユニット３２の駆動ユニットベース４２に予め一体成形された円筒部４８と軸部５０の突出先端面に、当該ソレノイド２４のフランジ２４Ａを突き当てる。このとき、フランジ２４Ａに設けた孔２４Ｂに軸部５０の先端面に形成した突起５０Ａが挿入されることで、位置決めがなされる。
【００８９】
これにより、円筒部４８の円孔４８Ａとフランジ２４Ａの円孔２４Ｃとが同軸となり、ビス５８を螺合することで固定され、保持される。
【００９０】
すなわち、円筒部４８の先端面に設けた円孔４８Ａは、ビス止めの際にビス５８を案内するように形成されるものである。
【００９１】
この円孔４８Ａは、駆動ユニットベース４２の成形段階で円筒部４８に形成され、成形上の理由（型抜き等）で円筒部４８の他端面側まで貫通させることが必然的になされる。
【００９２】
従って、円筒部４８の他端面（駆動ユニット３２の表面側）には、所定のピッチ（一対の円筒部４８のピッチに相当）で一対の円孔４８Ｂが形成されることになる。
【００９３】
従来、この円孔４８Ｂは何ら機能しておらず、動作ユニットベース３６との突き合せによって隠れてしまうものであった。
【００９４】
しかし、本実施の形態では、この所定ピッチの一対の円孔４８Ｂを動作ユニットベース３６との位置決め基準孔として利用し、この円孔４８Ｂのピッチに合わせて、動作ユニットベース３６の対向面に予め前記ピッチと同一の関係を持つ一対のボス３６Ａを形成する。
【００９５】
このボス３６Ａを位置決め基準孔としての円孔４８Ｂに嵌合させることで、動作ユニットベース３６と駆動ユニットベース４２との相対位置が定まり、精度良く位置決めすることができる。
【００９６】
なお、動作ユニット３０と駆動ユニット３２とが所定の相対位置関係で突き合わされると、動作ユニットベース３６に形成した一対の爪部材５２、５４が駆動ユニットベースの球通過センサ４６を挿入するときの案内面となる案内部５６の背面側端面に係合される。これにより、動作ユニット３０と駆動ユニット３２とが係合情報で保持される。
【００９７】
このように、本実施の形態では、駆動ユニットベース４２に必然的に形成される円孔４８Ｂ（動作ユニットベース４２の背面側の円孔４８Ａを形成することで，成形上他端面に貫通して形成される円孔４８Ｂ）を動作ユニットベース３６との位置決め基準孔として利用することで、駆動ユニットベース４２には別途位置決めのための形状を設ける必要がなくなり、駆動ユニットベース４２を必要最小限の大きさとすることができる。
【００９８】
また、専用の位置決めのための形状が不要であるため、金型の構造も簡素化することができる。
【００９９】
なお、本実施の形態では、駆動ユニットベース４２に必然的に形成される円筒部４８の他端面の円孔４８Ｂを位置決め基準孔として利用し、動作ユニットベース３６側には、位置決め専用のボス３６Ａを形成したが、双方に等ピッチの凹凸が存在する場合には、これを位置決め基準として用いることも可能である。
【０１００】
また、本実施の形態では、可動部材として電動チューリップ１３４を例にとり説明したが、２以上の部材を予め組付けた状態で遊技盤１１１に取り付ける他の装飾部品（大入賞口、３種の振分装置等）においても適用可能である。
【０１０１】
「球通過センサ４６の着脱」
球通過センサ４６は、動作ユニット３０に保持されるが、本実施の形態では、動作ユニット３０と駆動ユニット３２との組み付け後に着脱が可能となっている。
【０１０２】
装着時は、まず、球通過センサ４６を駆動ユニットベース４２に一体成形された案内部５６に挿入する。
【０１０３】
このとき、通常爪部材５２がこの球通過センサ４６の移動軌跡上にあり、挿入を継続すると、この押圧力で通常爪部材５２が弾性変形し、上記移動軌跡上から退避され、球通過センサ４６の挿入に伴ない、通常爪部材５２の爪部５２Ａは当該球通過センサ４６の下面側を摺動する（図９（Ｂ）参照）。
【０１０４】
球通過センサ４６が完全に押し込まれると（球通過センサ４６の球通過口４６Ａがフラップ１２の下部に位置すると）、前記弾性変形されていた通常爪部材５２が弾性力で復帰して、球通過センサ４６を挿入方向後端部と係合し、球通過センサ４６が保持される。
【０１０５】
一方、特殊爪部材５４は、爪部５４Ａが側面視で台形となり、突出先端面が案内部５６によって案内移動される前記球通過センサ４６の移動軌跡上には至っていないため、球通過センサ４６の挿入には関与しない（図９（Ａ）参照）。
【０１０６】
すなわち、一対の爪部材５２、５４は、その両方が駆動ユニットベース４２の案内部５６に係合され、かつ特殊爪部材５４のみが球通過センサ４６の係合を兼ねることになる。
【０１０７】
次に、球通過センサ４６を取外す際、従来は、動作ユニット３０と駆動ユニット３２との組み付け状態を解除し、一対の爪部材の係合を解除するようにしていたため、動作ユニット３０と駆動ユニット３２との着脱作業が煩雑であり、さらに、一方の手で動作ユニット３０を把持しながら、他方の手の少なくとも２本の指でそれぞれの爪部材を弾性変形させ、さらに空いている指等で球通過センサ４６を抜き出していた。
【０１０８】
しかし、本実施の形態では、動作ユニット３０と、駆動ユニット３２との組付け状態（爪部材の一方である特殊爪部材５４によって保持した状態）で、爪部材の他方である通常爪部材５２を弾性変形させることで、球通過センサ４６を抜き出せばよい。より具体的には、一方の手で動作ユニット３０を把持しつつ、当該一方の手の何れかの指で通常爪部材５２を弾性変形した状態で、他方の手で球通過センサ４６を抜き出すという簡単な作業となる。
【０１０９】
このように、本実施の形態では、一対の爪部材を通常爪部材５２（爪部５２Ａの側面視が直角三角形）と、特殊爪部材５４（爪部５４Ａの側面視が台形）と、に分け、通常爪部材５２は駆動ユニット３２を保持する役目と球通過センサ４６を保持する役目を兼用し、特殊爪部材５４は駆動ユニット３２を保持する役目のみとしたため、動作ユニット３０と駆動ユニット３２との保持強度を維持しつつ、球通過センサ４６の着脱作業性を向上することができる。
【０１１０】
なお、本実施の形態では、球通過センサ４６の保持構造として電動チューリップ１３４を例にとり説明したが、球通過センサ４６を適用した他の入賞口等にも適用可能である。
【０１１１】
【発明の効果】
以上説明した如く本発明では、位置決め用として特別な形状を設けることなく、金型構造、並びに部品構造を簡略化すると共に、確実に位置決めすることができるという優れた効果を有する。
【図面の簡単な説明】
【図１】本実施の形態に係るパチンコ機の正面図である。
【図２】本実施の形態に係るゲージ盤の正面図である。
【図３】本実施の形態に係る電動チューリップの駆動機構を示す分解斜視図である。
【図４】電動チューリップの正面図である。
【図５】図４のＶ−Ｖ線断面図である。
【図６】電動チューリップの右側面図（フラップ閉止状態）である。
【図７】電動チューリップの右側面図（フラップ開放状態）である。
【図８】図７のＩＩＸ−ＩＩＸ線断面図である。
【図９】駆動ユニットベースの案内部に挿入される球検出センサ及びその近傍の側面図であり、（Ａ）は特殊爪部材と球検出センサとの関係、（Ｂ）は通常爪部材と球検出センサとの関係を示す。
【図１０】本実施の形態に係るソレノイド及びソレノイドを被覆するカバーの分解斜視図である。
【図１１】（Ａ）は本実施の形態のフランジの正面図、（Ｂ）は従来のフランジの正面図である。
【図１２】本実施の形態の変形例に係るフランジの正面図である。
【符号の説明】
１３４　　電動チューリップ１
１２　　アーム
１２　　フラップ
１８　　アーム
２４　　ソレノイド
３０　　動作ユニット
３２　　駆動ユニット
３６　　動作ユニットベース
３８　　装飾部材
４２　　駆動ユニットベース
４６　　球通過センサ
４８Ａ　　円孔
４８Ｂ　　円孔
４８　　円筒部
５２　　通常爪部材
５２Ａ　　爪
５４　　特殊爪部材
５４Ａ　　爪
５６　　案内部
６０　　カバー
６２　　ベース
６４　　かしめ代
６６　　切欠部
１２６　　特別図柄始動入賞口
１３４　　電動チューリップ
【図１】
2004065350.tif 000003
【図２】
2004065350.tif 000004
【図３】
2004065350.tif 000005
【図４】
2004065350.tif 000006
【図５】
2004065350.tif 000007
【図６】
2004065350.tif 000008
【図７】
2004065350.tif 000009
【図８】
2004065350.tif 000010
【図９】
2004065350.tif 000011
【図１０】
2004065350.tif 000012
【図１１】
2004065350.tif 000013
【図１２】
2004065350.tif 000014